(57)【要約】【課題】より簡易な構成で磁気体を複数の異なる位置に係止する。【解決手段】２つの異なる磁極を有する操作部と、上記操作部を複数の異なる係止位置で係止する係止部と、を備え、上記係止部は、上記第１の磁極を有する第１の領域を所定方向に間隔を空けて有し、上記所定方向において複数の異なる上記係止位置を形成する上記第１の領域で、上記操作部を係止する、多段切替構造が提供される。【選択図】図１
2020181776.tif 000002
【特許請求の範囲】
【請求項１】
２つの異なる磁極を有する操作部と、
前記操作部を複数の異なる係止位置で係止する係止部と、
を備え、
前記係止部は、第１の磁極を有する第１の領域を所定方向に間隔を空けて有し、前記所定方向において複数の異なる前記係止位置を形成する前記第１の領域で、前記操作部を係止する、
多段切替構造。
【請求項２】
前記係止部は、前記第１の領域と、前記第１の磁極とは異なる第２の磁極を有する第２の領域を前記所定方向に交互に有する、
請求項１に記載の多段切替構造。
【請求項３】
前記係止部は、前記第１の領域で、少なくとも２方向から前記操作部を係止する、
請求項１または２に記載の多段切替構造。
【請求項４】
前記係止部は、筒状に形成される、
請求項１〜３のいずれかに記載の多段切替構造。
【請求項５】
前記係止部は、マグネットシートを用いて形成される、
請求項１〜４のいずれかに記載の多段切替構造。
【請求項６】
検出された前記操作部の前記係止位置に応じた所定の機能制御を行う制御部、
をさらに備える、
請求項１〜５のいずれかに記載の多段切替構造。
【発明の詳細な説明】
【技術分野】
【０００１】
本発明は、多段切替構造に関する。
【背景技術】
【０００２】
近年、磁気を利用した種々の装置が開発されている。例えば、特許文献１には、入力操作キーの操作に伴って移動する磁石が設けられた、端末本体に着脱可能なスイッチモジュールと、端末本体側で上記磁石の移動を検出するスイッチ構造が開示されている。
【先行技術文献】
【特許文献】
【０００３】
【特許文献１】特開２００５−１５８５６９号公報
【発明の概要】
【発明が解決しようとする課題】
【０００４】
しかし、特許文献１に開示されるスイッチ構造では、１段階のプッシュ操作のみを検出可能であり、単一のスイッチ構造で多機能化に対応化することが困難である。
【０００５】
そこで、本発明は、上記問題に鑑みてなされたものであり、本発明の目的とするところは、より簡易な構成で磁気体を複数の異なる位置に係止することが可能な、新規かつ改良された多段切替構造を提供することにある。
【課題を解決するための手段】
【０００６】
上記課題を解決するために、本発明のある観点によれば、２つの異なる磁極を有する操作部と、上記操作部を複数の異なる係止位置で係止する係止部と、を備え、上記係止部は、第１の磁極を有する第１の領域を所定方向に間隔を空けて有し、上記所定方向において複数の異なる上記係止位置を形成する上記第１の領域で、上記操作部を係止する、多段切替構造が提供される。
【０００７】
また、上記係止部は、上記第１の領域と、上記第１の磁極とは異なる第２の磁極を有する第２の領域を上記所定方向に交互に有してもよい。
【０００８】
また、上記係止部は、上記第１の領域で、少なくとも２方向から上記操作部を係止してもよい。
【０００９】
また、上記係止部は、筒状に形成されてもよい。
【００１０】
また、上記係止部は、マグネットシートを用いて形成されてもよい。
【００１１】
また、上記多段切替構造は、検出された上記操作部の上記係止位置に応じた所定の機能制御を行う制御部、をさらに備えてもよい。
【発明の効果】
【００１２】
以上説明したように本発明によれば、より簡易な構成で磁気体を複数の異なる位置に係止することが可能となる。
【図面の簡単な説明】
【００１３】
【図１】本発明の一実施形態に係る多段切替構造１００の構造について説明するための図である。
【図２】同実施形態に係るマグネットシートを利用した係止部１２０の形成について説明するための図である。
【図３】同実施形態に係る多段切替構造１００をスイッチ１０に適用する場合の一例である。
【図４】同実施形態に係る多段切替構造１００をスイッチ１０に適用する場合の一例である。
【発明を実施するための形態】
【００１４】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００１５】
＜１．実施形態＞
上述したように、近年においては、磁気を利用した種々の装置が開発されている。上記のような装置には、例えば、特許文献１に開示されるスイッチ構造が挙げられる。しかし、特許文献１に開示されるスイッチ構造は、プッシュ操作に伴う磁石の移動を検出し、当該磁石の移動に基づいて、対応する入力を行うことを目的としており、単一のスイッチ構造では、異なる複数の入力を実現することが困難である。
【００１６】
ここで、上記のようなスイッチ構造に多段構造を設けようとした場合、構造が複雑化し、製作コストが増大することが想定される。
【００１７】
本発明の技術思想は、上記の点に着目して発想されたものであり、より簡易な構成で磁気体を複数の異なる位置に係止することが可能とする。このために、本開示の一実施形態に係る多段切替構造１００は、２つの異なる磁極を有する操作部１１０と、操作部１１０を複数の異なる係止位置で係止する係止部１２０と、を備える、また、本開示の一実施形態に係る係止部１２０は、第１の磁極を有する第１の領域を所定方向に間隔を空けて有し、上記所定方向において複数の異なる係止位置を形成する上記第１の領域で、操作部１１０を係止すること、を特徴の一つとする。
【００１８】
図１は、本実施形態に係る多段切替構造１００の構造について説明するための図である。上述したように、本実施形態に係る多段切替構造１００は、２つの異なる磁極を有する操作部１１０と、操作部１１０を複数の異なる係止位置で係止する係止部１２０を備える。
【００１９】
図１には、操作部１１０が上半部にＳ極を、下半部にＮ極を有する場合の一例が示されている。この場合、係止部１２０は、図中の左側に示すように、少なくとも第１の磁極（以下においては、第１の磁極をＮ極として説明する）を有する第１の領域で、操作部１１０を係止位置に係止することができる。
【００２０】
この際、係止部１２０は、第１の領域で、操作部１１０を少なくとも２方向から挟み込むことで、操作部１１０を係止位置に係止してもよい。係る構成によれば、より強固に操作部１１０を係止位置に係止することができる。
【００２１】
また、本実施形態に係る係止部１２０は、図示するように、第１の磁極を有する第１の領域を所定方向に間隔を空けて有する。図１に示す一例の場合、係止部１２０は、上下方向において、上方および下方に１つずつの第１の領域を、間隔を空けて有している。
【００２２】
上記のような構成によれば、上方に位置する第１の領域、下方に位置する第１の領域のそれぞれで、Ｓ極を有する操作部１１０の上半部を係止することができ、すなわち２つの第１の領域に対応する２つの係止位置を形成することができる。
【００２３】
また、本実施形態に係る係止部１２０は、図示するように、異なる第１の領域の間に第１の磁極とは異なる第２の磁極（以下においては、第２の磁極をＳ極として説明する）を有する第２の領域を有する。すなわち、本実施形態に係る係止部１２０は、第１の領域と第２の領域を所定方向に交互に有してよい。
【００２４】
上記のような構成によれば、図中左側に示すように、ユーザが指ＵＦなどを用いて、係止部１２０による係止力より大きい力で操作部１１０を押下した際に、Ｓ極を有する操作部１１０の上半部とＮ極を有する第１の領域、Ｎ極を有する操作部１１０の下半部とＳ極を有する第２の領域がそれぞれ離れることで強いクリック感を得ることができる。
【００２５】
また、指ＵＦによる押下により操作部１１０と係止部１２０とが離れた後には、図中右側に示すように、Ｓ極を有する操作部１１０の上半部とＳ極を有する第２の領域、Ｎ極を有する操作部１１０の下半部とＮ極を有する第１の領域がそれぞれ反発するために押下の方向に操作部１１０が移動し、続く第１の領域および第２の領域により押下前とは異なる係止位置で操作部１１０が係止されることとなる。
【００２６】
このように、本実施形態に係る多段切替構造１００は、磁極の特性を利用した非常に簡易な構造で、磁気体を複数の異なる位置に係止することが可能である。
【００２７】
なお、本実施形態に係る多段切替構造１００は、上述したような押下に伴う奥行方向のの多段切替以外にも、様々な方向に多段切替が可能なように設計されてもよい。例えば、図１の下部に示す一例の場合、多段切替構造１００は、指ＵＦによるスライド操作により水平方向に多段切替が可能なように形成されている。
【００２８】
この場合であっても、係止部１２０は、第１の領域と第２の領域とを交互に有することで、複数の異なる係止位置で操作部１１０を係止することができる。
【００２９】
さらには、例えば、本実施形態に係る係止部１２０は、周方向に第１の領域と第２の領域とを交互に有するリング状に形成されてもよい。この際、上記周方向の対向する位置には同一の磁極が配置されるように係止部１２０を形成する。この場合、リング状に係止される係止部１２０の内側に棒状の操作部１１０を配置することで、周方向において異なる係止位置で操作部１１０を係止することが可能である。
【００３０】
なお、本実施形態に係る係止部１２０は、例えば、マグネットシートを用いて形成されてもよい。図２は、本実施形態に係るマグネットシートを利用した係止部１２０の形成について説明するための図である。
【００３１】
図２の左側には、片面多極着磁を施したマグネットシートＭＳ１の磁極特性が示されている。図示するように、片面多極着磁を施したマグネットシートＭＳ１は、シートの片面においてＮ極とＳ極とが交互に並んで配置される。このため、図中右側に示すように、マグネットシートＭＳ１を筒状に加工することで、奥行方向を所定方向とする係止部１２０を、非常に簡易かつ安価に形成することが可能である。
【００３２】
また、係止部１２０をマグネットシートＭＳ１を用いて形成する場合、マグネットシートＭＳを多重化することで、係止部１２０による操作部１１０の係止力を増加させることができ、より多様な用途に対応することができる。
【００３３】
なお、本実施形に係止部１２０は、片面多極着磁を施したマグネットシートＭＳ１のほか、例えば、図２の左側下部に示すような、両面多極着磁を施したマグネットシートＭＳ２や、両面着磁を施したマグネットシートＭＳ３を用いて形成されてもよい。
【００３４】
なお、本実施形態に係る係止部１２０の形状は、図２に示すような奥行方向を所定方向とする筒状に限定されず、上述したように、水平方向や周方向を所定方向としてもよい。本実施形態に係る多段切替構造１００は、係止部１２０の形状を変化させることで、操作部１１０を、奥行方向、水平方向、周方向などの種々の方向において、複数の異なる係止位置で係止することできる。
【００３５】
このことから、本実施形態に係る多段切替構造１００は、例えば、プッシュ式スイッチ、スライダー式スイッチ、ダイヤル式スイッチなどに応用することが可能である。
【００３６】
図３は、本実施形態に係る多段切替構造１００をスイッチ１０に適用する場合の一例である。図３には、本実施形態に係る多段切替構造１００を適用したプッシュ式のスイッチ１０を車両のステアリングに配置する場合の一例が示されている。
【００３７】
この場合、ユーザは、例えば、ステアリング操作を行いながら、スイッチ１０の操作部１１０を親指で押し込むことにより操作部１１０の係止位置を変更し、当該係止位置に応じた機能を実行することができてもよい。
【００３８】
また、スイッチ１０は、別途のダイヤル式スイッチ２０と合わせて用いることで、機能の実行強度を調整することも可能である。
【００３９】
例えば、図３に示す一例の場合、スイッチ１０は奥行方向に３つの係止位置を有しており、当該３つの係止位置は、音量調整機能の選択、温度調整機能の選択、および風量調整機能の選択にそれぞれ対応している。
【００４０】
この場合、ユーザは、例えば、２つ目の係止位置に操作部１１０をお押し込んだ上で、ダイヤル式スイッチ２０を回転させることで、任意の強度に温度を調整することができてよい。
【００４１】
なお、奥行方向に押し込んだ操作部１１０を手前方向に戻す場合、ユーザはステアリングの裏側から指を用いて操作部１１０を手前方向に直接押し込むことができてもよい。このように、本実施形態に係るプッシュ式のスイッチ１０は、筒形状の両端からの操作が可能であってもよい。一方、本実施形態に係るプッシュ式のスイッチ１０は、操作部１１０を奥まで押し込んだ場合に、操作部１１０を手前方向に復帰させる別途の機構を有してもよい。本実施形態に係るスイッチ１０の構成は、仕様や運用に応じて柔軟に変形可能である。
【００４２】
続いて、本実施形態に係る多段切替構造１００適用したスイッチ１０の機能構成について説明する。図４は、本実施形態に係るスイッチ１０の機能構成例を示すブロック図である。図４を参照すると、本実施形態に係るスイッチ１０は、操作部１１０および係止部１２０を備える多段切替構造に加え、検出部１３０および制御部１４０を備える。
【００４３】
本実施形態に係る検出部１３０は、係止部１２０による操作部１１０の係止位置を検出する機能を有する。本実施形態に係る検出部１３０は、例えば、距離センサや磁器センサなどにより操作部１１０の係止位置を検出することが可能である。
【００４４】
また、本実施形態に係る制御部１４０は、検出部１３０が検出した操作部１１０の係止位置に応じた所定の機能制御を行う機能を有する。
【００４５】
本実施形態に係る制御部１４０は、例えば１つまたは２つ以上のプロセッサにより実現される。プロセッサとしては、例えば、ＣＰＵ（Ｃｅｎｔｒａｌ  Ｐｒｏｃｅｓｓｉｎｇ  Ｕｎｉｔ）や、ＭＣＵ（Ｍｉｃｒｏ  Ｃｏｎｔｒｏｌｌｅｒ  Ｕｎｉｔ）などが挙げられる。
【００４６】
＜２．まとめ＞
以上説明したように、本開示の一実施形態に係る多段切替構造１００は、２つの異なる磁極を有する操作部１１０と、操作部１１０を複数の異なる係止位置で係止する係止部１２０と、を備える、また、本開示の一実施形態に係る係止部１２０は、上記第１の磁極を有する第１の領域を所定方向に間隔を空けて有し、上記所定方向において複数の異なる係止位置を形成する上記第１の領域で、操作部１１０を係止すること、を特徴の一つとする。係る構成によれば、より簡易な構成で磁気体を複数の異なる位置に係止することが可能となる。
【００４７】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００４８】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【００４９】
また、コンピュータに内蔵されるＣＰＵ、ＲＯＭおよびＲＡＭなどのハードウェアに、検出部１４０が有する構成と同等の機能を発揮させるためのプログラムも作成可能であり、当該プログラムを記録した、コンピュータに読み取り可能な非一過性の記録媒体も提供され得る。
【符号の説明】
【００５０】
１０      スイッチ、  １００    多段切替構造、  １１０    操作部、  １２０    係止部、  １３０    検出部、  １４０    制御部
【図１】
2020181776.tif 000003
【図２】
2020181776.tif 000004
【図３】
2020181776.tif 000005
【図４】
2020181776.tif 000006